(57)【要約】【課題】台座にクリップ付きの保持板を設け、その保持板に磁石を介してマーカーを取りつけ、クリップを利用して台座と保持板を帽子に取りつけることによって、台座の広告表示面を隠さずマーカーを保持することができ、広告表示面の必要が無い汎用品のマーカー保持具については、予備のマーカーを保持することができるマーカー保持具を提供する。【解決手段】台座ＡならびにマーカーＤを収納する空間部Ｆを台座Ａと形成する保持板Ｂ、保持板Ｂに台座Ａと保持板Ｂを帽子に取りつけるクリップＣを設けた構成を有するゴルフ用マーカー保持具で、前記保持板Ｂが台座Ａの一方の長辺からＵ字型に屈曲して設けられているゴルフ用マーカー保持具である。【選択図】図１
0003124712.tif 000002
【実用新案登録請求の範囲】
【請求項１】
台座ならびにマーカーを収納する空間部を台座と形成する保持板、保持板に台座と保持板を帽子に取りつけるクリップを設けた構成を有するゴルフ用マーカー保持具。
【請求項２】
前記保持板は、台座の一方の長辺からＵ字型に屈曲して設けられている請求項１記載のゴルフ用マーカー保持具。
【請求項３】
前記保持板は、台座の一方の短辺からＵ字型に屈曲して設けられている請求項１記載のゴルフ用マーカー保持具。
【考案の詳細な説明】
【技術分野】
【０００１】
本考案は、台座にクリップ付きの保持板を設け、その保持板に磁石を介してマーカーを取りつけ、クリップを利用して台座と保持板を帽子に取りつけることによってマーカーを保持するゴルフ用マーカー保持具に関する。
【背景技術】
【０００２】
従来、ゴルフ用マーカーとして磁石Ｅが設けられた円盤状の金属片が使用され、このマーカーＤを磁力を介して台座Ｋの上面に取りつけ、クリップＬを利用して台座Ｋを帽子に取りつけるマーカー保持具（図１０、図１１参照）が使用されていた。
【０００３】
上記マーカー保持具は図１０に示すように台座Ｋの表面に広告が表示され、その一方の長辺中央部分には台座Ｋを帽子に取りつけるクリップＬを有する。このクリップＬを利用して台座Ｋを取りつけた帽子をかぶることによりマーカーＤを保持すること、ならびに表面に表示された広告を宣伝することができる。
また、広告表示面の必要が無い汎用品のマーカー保持具については、台座に広告表示は無く、マーカーＤを保持する機能のみを有する。
【考案の開示】
【考案が解決しようとする課題】
【０００４】
しかし、従来使用されているマーカー保持具は、広告表示面の台座ＫにマーカーＤを保持するため、この保持したマーカーＤが広告の一部を隠してしまうという問題があった。
また、広告表示面の必要が無い汎用品のマーカー保持具については、台座の表面に１個のマーカーを保持することを前提としており、予備のマーカーを保持する機能を持たないという問題があった。
【０００５】
そこで、この考案は、台座にクリップ付きの保持板を設け、その保持板に磁石を介してマーカーを取りつけ、クリップを利用して台座と保持板を帽子に取りつけることによってマーカーを保持した状態でも広告の一部を隠さず、また、広告表示面の必要が無い汎用品のマーカー保持具については、予備のマーカーを保持することができるマーカー保持具を提供することを課題とする。
【課題を解決するための手段】
【０００６】
以上の課題を解決するために、第一考案は、台座ＡならびにマーカーＤを収納する空間
部Ｆを台座Ａと形成する保持板Ｂ、保持板Ｂに台座Ａと保持板Ｂを帽子に取りつけるクリップＣを設けた構成を有するゴルフ用マーカー保持具である。第二考案は、前記保持板Ｂが台座Ａの一方の長辺からＵ字型に屈曲して設けられているゴルフ用マーカー保持具である。また、第三考案は、前記保持板Ｂが台座Ａの一方の短辺からＵ字型に屈曲して設けられているゴルフ用マーカー保持具である。
【考案の効果】
【０００７】
上記のように構成された本考案には次のような効果がある。
ａ．広告が表示された台座の裏側にある保持板にマーカーを保持するので、台座の表面に
表示された広告の一部がマーカーの保持により隠れることは無い。
ｂ．台座と保持板に挟まれた空間部にマーカーを保持することによって、マーカーの落下による紛失を減らすことができる。
ｃ．広告表示の必要が無い汎用品のマーカー保持具においては、台座と保持板の両方にマーカーを保持できるため、プレー中にマーカーを紛失しても予備のマーカーを使用することができる。
【考案を実施するための最良の形態】
【０００８】
以下、本考案の実施の形態を図面に基づいて説明する。
【０００９】
図１は本考案の斜視図で図２は平面図、図３は図２におけるＹ−Ｙ断面図、図４は底面図、図５は本考案の使用状態を示した図、図６はマーカー２個を保持する場合の平面図、図７は図６におけるＺ−Ｚ断面図、図８は他の実施形態を示す平面図、図９は図８におけるＸ−Ｘ断面図、図１０は従来技術を示す平面図、図１１は図１０におけるＷ−Ｗ断面図である。
【００１０】
Ａは金属板からなる台座で、広告を表示して宣伝する機能を有する。
【００１１】
Ｂは金属板からなる保持板で、図３に示すように、台座Ａの一方の長辺からU字型に屈
曲して設けられたもので、磁石Ｅが設けられたマーカーＤを、その磁石Ｅの磁力により吸着して保持する機能を有する。このように保持板Ｂを設けることによって、台座Ａの裏側にマーカー装入部である空間部Ｆが形成される。
なお、上記保持板Ｂは、台座Ａの一方の長辺からコの字型に屈曲して設けらたものであっても良い。
【００１２】
Ｃは保持板Ｂの一方の長辺中央部分に設けられたクリップで、長辺中央部分から保持板
Ｂの下面へ折り返し、折り返し部分と保持板Ｂの底面とで挟持することによって保持板Ｂと台座Ａが帽子Ｊに取りつけられるようになっている。
【００１３】
Ｄは金属板からなる円盤状のゴルフ用マーカーで、底面中央部に埋設された磁石Ｅの磁力により保持板Ｂ、台座Ｋに装着することができる。
【００１４】
ＥはマーカーＤの底面中央部に埋設された磁石で、金属板からなる保持板Ｂ、台座Ｋに吸着する機能を有する。
【００１５】
Ｆはマーカーを装入する空間部を示す。
【００１６】
Ｇは金属板からなる広告表示面の無い台座で、磁石Ｉが設けられたマーカーＨを、その磁石Ｉの磁力により吸着して保持する機能を有する。
【００１７】
Ｈは金属板からなる円盤状のゴルフ用マーカーで、底面中央部に埋設された磁石Ｉの磁力により台座Ｇに装着することができる。
【００１８】
ＩはマーカーＨの底面中央部に埋設された磁石で、金属板からなる台座Ｇに吸着する機能を有する。
【００１９】
Ｊは帽子を示す。
【００２０】
Ｋは従来技術の金属板からなる台座で、磁石Ｅが設けられたマーカーＤを、その磁石Ｅの磁力により吸着して保持する機能と広告を表示して宣伝する機能を有する。
【００２１】
Ｌは台座Ｋの一方の長辺中央部分に設けられたクリップで、長辺中央部分から台座Ｋの下面へ折り返し、折り返し部分と台座Ｋの底面とで挟持することによって台座Ｋが帽子に取りつけられるようになっている。
【実施例】
【００２２】
上記のように構成された本考案を実際に使用する場合は次のようになる。図５に示したように、クリップＣを利用して帽子Ｊに台座Ａと保持板Ｂを取りつけ、空間部ＦにマーカーＤを収納する。磁石Ｅが設けられたマーカーＤは、その磁石Ｅの磁力により保持板Ｂに吸着して固定される。台座Ａの広告表示面にマーカーＤを保持しないため、台座Ａの広告の一部が隠れることは無い。また、空間部Ｆは台座Ａと保持板Ｂに挟まれているため、マーカーＤが落下により紛失するという問題も減少する。
【００２３】
台座の表面を広告する必要のない場合は、図６、図７に示したように、台座Ｇに磁石Ｉが設けられたマーカーＨを、その磁石Ｉの磁力により吸着し保持することができる。また、保持板Ｂには磁石Ｅが設けられたマーカーＤを、その磁石Ｅの磁力により吸着し保持することができる。台座Ｇと保持板Ｂの両方にマーカーを保持できるため、プレー中にマーカーＨを紛失しても予備のマーカーＤを使用することができる。
【００２４】
「他の実施形態」
図１の実施形態では、保持板Ｂは台座Ａの一方の長辺からU字型に屈曲して設けられたものであったが、他の実施形態では、図８、図９に示したように保持板Ｂは台座Ａの一方の短辺からU字型に屈曲して設けらたものであっても良い。なお、前記保持板Ｂは台座Ａの一方の短辺からコの字型に屈曲して設けらたものであっても良い。
【図面の簡単な説明】
【００２５】
【図１】本考案の斜視図である。
【図２】本考案の平面図である。
【図３】図２におけるＹ−Ｙ断面図である。
【図４】本考案の底面図である。
【図５】本考案の使用状態を示した図である。
【図６】本考案のマーカー２個を保持する場合の平面図である。
【図７】図６におけるＺ−Ｚ断面図である。
【図８】他の実施形態を示す平面図である。
【図９】図８におけるＸ−Ｘ断面図である。
【図１０】従来技術を示す平面図である。
【図１１】図１０におけるＷ−Ｗ断面図である。
【符号の説明】
【００２６】
Ａ  台座
Ｂ  保持板
Ｃ  クリップ
Ｄ  マーカー
Ｅ  磁石
Ｆ  空間部
Ｇ  広告表示無しの台座
Ｈ  マーカー
Ｉ  磁石
Ｊ  帽子
Ｋ  台座
Ｌ  クリップ
【図１】
0003124712.tif 000003
【図２】
0003124712.tif 000004
【図３】
0003124712.tif 000005
【図４】
0003124712.tif 000006
【図５】
0003124712.tif 000007
【図６】
0003124712.tif 000008
【図７】
0003124712.tif 000009
【図８】
0003124712.tif 000010
【図９】
0003124712.tif 000011
【図１０】
0003124712.tif 000012
【図１１】
0003124712.tif 000013